(57)【要約】【課題】墨流しの技法を応用した皮革の塗装方法を提供する。【解決手段】容器内の水面上には柔軟剤を添加してなる所望の色の模様形成用漆３を乗せ、水１を動かすことにより該模様形成用漆による模様を形成し、皮革５を該模様に接触させて該模様を該皮革上に転写し、該皮革における該模様を形成した表面に上塗り塗装７を行なうことを特徴とする皮革の塗装方法。容器内の水面上には柔軟剤を添加してなる透明漆の膜９を形成し、該膜上には柔軟剤を添加してなる所望の色の模様形成用漆３を乗せ、該模様形成用漆を動かすことにより該模様形成用漆による模様を形成し、皮革５を該模様に接触させて該模様を該皮革上に転写し、該皮革における該模様を形成した表面に上塗り塗装７を行なうことを特徴とする皮革の塗装方法。【選択図】図１
2010259987.tif 000002
【特許請求の範囲】
【請求項１】
容器内の水面上には柔軟剤を添加してなる所望の色の模様形成用漆を乗せ、水を動かすことにより該模様形成用漆による模様を形成し、皮革を該模様に接触させて該模様を該皮革上に転写し、該皮革における該模様を形成した表面に上塗り塗装を行なうことを特徴とする皮革の塗装方法。
【請求項２】
容器内の水面上には柔軟剤を添加してなる透明漆の膜を形成し、該膜上には柔軟剤を添加してなる所望の色の模様形成用漆を乗せ、該模様形成用漆を動かすことにより該模様形成用漆による模様を形成し、皮革を該模様に接触させて該模様を該皮革上に転写し、該皮革における該模様を形成した表面に上塗り塗装を行なうことを特徴とする皮革の塗装方法。
【請求項３】
前記皮革における塗装する表面に予め第一の密着プライマーを塗着することを特徴とする請求項１又は２に記載の皮革の塗装方法。
【請求項４】
前記皮革に前記模様を転写した後、前記上塗り塗装を行なう前に、該皮革における該模様を形成した表面に透明の第二の密着プライマーを塗着することを特徴とする請求項１〜３のいずれかに記載の皮革の塗装方法。
【発明の詳細な説明】
【技術分野】
【０００１】
本発明は、皮革の塗装方法に関するものであり、特に、墨流しの技法を応用した皮革の塗装方法に係るものである。
【０００２】
本発明において、「皮革」には人造皮革と天然皮革とが含まれ、「人造皮革」には合成皮革と人工皮革とが含まれる。
【０００３】
本発明による塗装方法により塗装された皮革は、例えば、カバン、財布、帽子、衣服、ソファー、自動車のダッシュボードないしシート等の製品に用いられる。
【背景技術】
【０００４】
墨流しの技法は、例えば特開平５−４４１７８号公報に示すように、紙、布等に対する染色技法として従来より知られている。
【０００５】
墨流しの技法は、水面に染色剤を浮かべ、水面上の該染色剤を紙、布等に転写するようにしたものである。
【０００６】
墨流しの技法においては、水の動きにより偶発的に生じた模様が紙、布等に転写されるため、この技法により染色された製品は、芸術性を備えたものとして高い商品価値が認められている。
【０００７】
一方、墨流しの技法を応用した皮革の塗装方法は、本出願人の知る限りにおいて、従来存在しない。    
【先行技術文献】
【特許文献】
【０００８】
【特許文献１】特開平５−４４１７８号公報
【発明の概要】
【発明が解決しようとする課題】
【０００９】
墨流しの技法により布、紙等に模様を転写してなる製品が芸術性を備えたものとして高く評価されていることに鑑み、本発明は、このような墨流しの技法を応用した皮革の塗装方法を提供しようとしてなされたものである。
【課題を解決するための手段】
【００１０】
上記課題を解決するために、本発明は、下記の皮革の塗装方法を提供するものである。
【００１１】
（１）容器内の水面上には柔軟剤を添加してなる所望の色の模様形成用漆を乗せ、水を動かすことにより該模様形成用漆による模様を形成し、皮革を該模様に接触させて該模様を該皮革上に転写し、該皮革における該模様を形成した表面に上塗り塗装を行なうことを特徴とする皮革の塗装方法（請求項１）。
【００１２】
（２）容器内の水面上には柔軟剤を添加してなる透明漆の膜を形成し、該膜上には柔軟剤を添加してなる所望の色の模様形成用漆を乗せ、該模様形成用漆を動かすことにより該模様形成用漆による模様を形成し、皮革を該模様に接触させて該模様を該皮革上に転写し、該皮革における該模様を形成した表面に上塗り塗装を行なうことを特徴とする皮革の塗装方法（請求項２）。
【００１３】
（３）前記皮革における塗装する表面に予め第一の密着プライマーを塗着する（請求項３）。
【００１４】
（４）前記皮革に前記模様を転写した後、前記上塗り塗装を行なう前に、該皮革における該模様を形成した表面に透明の第二の密着プライマーを塗着する（請求項４）。
【００１５】
本発明における「透明漆」は透明な漆をいう。本発明における「漆」にはカシュー樹脂塗料（漆系の合成樹脂塗料）が含まれるものとする。
【発明の効果】
【００１６】
［請求項１の発明］
皮革の表面には偶発的に生じた模様形成用漆による独特の美しい模様が形成される。このような独特の模様を備えた皮革は従来存在しないものである。したがって、皮革の商品価値が高まる。
【００１７】
皮革における模様形成用漆による模様を形成した表面に上塗り塗装を行なうことにより、該模様が保護され、その耐水性、対候性等が向上する。
【００１８】
なお、模様形成用漆は、柔軟剤を添加してなるものであるため、塗装後に模様形成用漆による模様が硬化し、クラックを生ずるおそれはない。
【００１９】
［請求項２の発明］
容器内の水面上に透明漆の膜を形成し、該膜上に所望の色の模様形成用漆を乗せるようにしたため、模様を形成する模様形成用漆が過度に広がることが防止される。因みに、容器内の水面上に透明漆の膜を形成することなく、水面上に所望の色の模様形成用漆を直接乗せた場合には、模様形成用漆に含まれる顔料によっては、該模様形成用漆が水面上で広がりすぎ、好ましい模様を皮革に転写することができないことがある。例えば、模様形成用漆が白色、黄色、赤色等の顔料を含むときには、該模様形成用漆は水面上で広がりすぎ、好ましい模様を皮革に転写することができない。なお、模様形成用漆が緑色、濃茶色等の顔料を含むときには、該模様形成用漆が水面上で広がりすぎるおそれがないため、該模様形成用漆を直接水面上に乗せても差し支えない。
【００２０】
また、容器内の水面上に透明漆の膜を形成し、該膜上に所望の色の模様形成用漆を乗せるようにしたため、転写時に透明漆の膜に気泡が入り、あるいは該気泡から空気が大気中に脱出して気泡の痕跡が残ったときでも、該透明漆の膜は透明であり、該膜内の気泡ないし該気泡の痕跡は見えない。因みに、容器内の水面上に透明漆の膜を形成することなく、水面上に所望の色の模様形成用漆を直接乗せた場合には、転写時に該所望の色の模様形成用漆に気泡が入り、あるいは該気泡から空気が大気中に脱出して気泡の痕跡が残ったときには、該模様形成用漆内の気泡ないし該気泡の痕跡が塗膜の外観を害することもある。
【００２１】
透明漆は、柔軟剤を添加してなるものであるため、塗装後に該透明漆の膜が硬化し、クラックを生ずるおそれはない。その他の点においては、請求項２の発明は、前記請求項１の発明と同様の効果を発揮する。
【００２２】
［請求項３の発明］
皮革における塗装する表面に予め第一の密着プライマーを塗着するようにしているため、該皮革が模様形成用漆ないし透明漆の膜との密着性を有しないときでも、該模様形成用漆ないし透明漆の膜は第一の密着プライマーを介して該皮革に好ましく密着する。
【００２３】
［請求項４の発明］
上塗り塗装の塗膜は、透明の第二の密着プライマーを介して模様形成用漆による模様ないし透明漆の膜に好ましく密着する。また、上塗り塗装を行なうことにより、各塗膜ないし皮革の縮みを防止することができる。
【図面の簡単な説明】
【００２４】
【図１】図１は、本発明による皮革の塗装方法の一例を示す断面図である。
【図２】図２は、同上塗装方法により塗装された皮革の一例を示す断面図である。
【図３】図３は、本発明による皮革の塗装方法の別の一例を示す断面図である。
【図４】図４は、図３の塗装方法により塗装された皮革の一例を示す断面図である。
【図５】図５は、本発明による皮革の塗装方法の更に別の一例を示す断面図である。
【図６】図６は、図５の塗装方法により塗装された皮革の一例を示す断面図である。
【図７】図７は、本発明による皮革の塗装方法の更に別の一例により塗装された皮革の一例を示す断面図である。
【図８】図８は、本発明による皮革の塗装方法の更に別の一例により塗装された皮革の一例を示す断面図である。
【発明を実施するための形態】
【００２５】
まず、図１、図２に示す事例について説明する。
【００２６】
符号１に示すものは、適宜の容器（図示せず。）内に収納した水である。
【００２７】
水１の水面上には、柔軟剤（軟化剤）を添加してなる所望の色の模様形成用漆３を乗せる。
【００２８】
模様形成用漆３は、好ましくはカシュー樹脂塗料とし、一例として顔料を含む。模様形成用漆３には、金粉、銀粉、アルミニウム粉等の金属粉を混入させてもよい。
【００２９】
模様形成用漆３に添加する柔軟剤としては、例えば、ポリエステルポリオールを主成分とするものを使用する。このポリエステルポリオールを主成分とする柔軟剤は、好ましくは、模様形成用漆３の１０〜２０重量％使用する。
【００３０】
水１を動かすことにより模様形成用漆３を動かし、水面上に該模様形成用漆３による模様を形成する。模様形成用漆３による模様は、偶発的に生ずるものであり、同一の模様を再度形成することはできない。
【００３１】
水面上に所望の模様が形成されたときに、皮革５を該模様に接触させて該模様を該皮革５上に転写する。模様を該皮革５上に転写させる際には、好ましくは、該皮革５を板状体等の適宜の支持体（図示せず。）に支持させる。
【００３２】
該皮革５における該模様を形成した表面に上塗り塗装７を行なう。図２参照。
【００３３】
上塗り塗装７は、一例として、ポリウレタン等の皮革用塗料により形成する。
【００３４】
次に、図３、図４に示す事例について説明する。
【００３５】
この事例は、容器内の水１の水面上には柔軟剤を添加してなる透明漆の膜９を形成し、該膜９上には柔軟剤を添加してなる所望の色の模様形成用漆３を乗せるようにしたものである。該透明漆に添加する柔軟剤としては、例えば、ポリエステルポリオールを主成分とするものを使用する。このポリエステルポリオールを主成分とする柔軟剤は、好ましくは、透明漆の１０〜２０重量％使用する。
【００３６】
すなわち、水１の水面上には柔軟剤を添加してなる透明漆の膜９を好ましくは水面の全面に広げる。
【００３７】
透明漆の膜９は透明である。すなわち、透明漆の膜９は、無色透明であってもよいが、塗装する皮革５における塗装すべき表面５ａと同色を有していても差し支えない。
【００３８】
透明漆の膜９上には柔軟剤（軟化剤）を添加してなる所望の色を備えた模様形成用漆３を乗せる。
【００３９】
模様形成用漆３を一例として棒を用いて動かすことにより該模様形成用漆３による模様を形成し、皮革５を該模様に接触させて該模様を該皮革５上に転写し、該皮革５における該模様を形成した表面に上塗り塗装７を行なう。なお、模様形成用漆３による模様を皮革５上に転写したときには、透明漆の膜９も該模様と共に該皮革５上に移る。
【００４０】
図５、図６に示す事例においては、皮革５における塗装する表面５ａに予め第一の密着プライマー１１を塗着する。
【００４１】
第一の密着プライマー１１は、好ましくは、皮革用プライマーとするが、顔料等を含むものであってもよい。第一の密着プライマー１１は、好ましくは透明とする。
【００４２】
図７、図８に示す事例においては、皮革５に前記模様を転写した後、上塗り塗装７を行なう前に、該皮革５における該模様を形成した表面に透明の第二の密着プライマー１３を塗着する。
【００４３】
透明の第二の密着プライマー１３は、好ましくは皮革用プライマーとするが、顔料等を含むものであってもよい。
【符号の説明】
【００４４】
１  水
３  模様形成用漆
５  皮革
５ａ  表面
７  上塗り塗装
９  透明漆の膜
１１  第一の密着プライマー
１３  第二の密着プライマー
【図１】
2010259987.tif 000003
【図２】
2010259987.tif 000004
【図３】
2010259987.tif 000005
【図４】
2010259987.tif 000006
【図５】
2010259987.tif 000007
【図６】
2010259987.tif 000008
【図７】
2010259987.tif 000009
【図８】
2010259987.tif 000010